(57)【要約】【課題】前面扉の放音孔の部分の強度を保持し、容易に破損しないようにする。また屋外に設置する場合に雨水の浸入を極力少なくする。【解決手段】収容箱本体２と前面扉３とをもって防災機器収容箱１を構成する。前面扉３における収容箱本体２内に設置されたベル７の周縁に位置する部分にのみ放音孔５を設ける。また、ベルの設置板に、ベル７を囲み又は挟むようにして音響反射板を設ける。更に前面扉３の裏面における放音孔５の部分に、該放音孔５を覆う防水シート１０を貼着する。【選択図】　　　　図１
2004102866.tif 000002
【特許請求の範囲】
【請求項１】
前面扉における収容箱本体内に設置された音響装置としてのベルの周縁に位置する部分にのみ放音孔を設けたことを特徴とする防災機器収容箱。
【請求項２】
放音孔は、外側にあるものの開孔面積を最大とし、中心部に向かうにしたがって小さくするようになした請求項１記載の防災機器収容箱。
【請求項３】
ベルの設置板に、ベルを囲み又は挟むようにして音響反射板を設けてなる請求項１又は２記載の防災機器収容箱。
【請求項４】
前面扉の裏面における放音孔の部分に、該放音孔を覆う防水シートを貼着してなる請求項１、２又は３記載の防災機器収容箱。
【発明の詳細な説明】
【０００１】
【発明の属する技術分野】
本発明は、発信機、音響装置、表示灯等を組み込んだ防災機器収容箱に関する。
【０００２】
【従来の技術】
発信機、音響装置、表示灯等を組み込んだ防災機器収容箱は、従来種々のものが提供されている。そして、これら従来のものは、例えば図８に示す如く前面扉に表示灯、音響装置の放音孔、発信機を設け、音響装置から発せられる音を前面扉の放音孔から外部に流れるようにしている。
【０００３】
図８において１００は防災機器収容箱、１０１は前面扉、１０２は表示灯、１０３は放音孔、１０４は発信機である。また、１０５は収容箱本体内に設置された音響装置としてのゴング型ベルである。
【０００４】
【発明が解決しようとする課題】
斯かる従来のものにあっては、放音孔１０３が、ベル１０５の中心位置から周縁部まで満遍なく多数設けられている。この場合、ベル１０５の中心位置とこれに近い位置の放音孔１０３は密集し、多数の孔が穿設されていることから、前面扉のこの部分は強度的に脆くなっている。したがって、物が当たる等の僅かな衝撃が加わっても容易に破損し易かった。
【０００５】
また、収容箱を屋外に設置する場合には、放音孔１０３が広い面積に数多く分布するために雨水が浸入し易く、この点の改善が望まれていた。
【０００６】
【課題を解決するための手段】
本発明は上記の点に鑑みなされたものであって、ゴング型ベルの場合にはその構造上ベルの周縁部が最大音量であること、種々の実験の結果、放音孔をベルの周縁にのみ設けた場合にも、従来のものにおけると同程度の音圧効果を得ることができること、即ち、消防法で規定された「音圧は、取り付けられた音響装置の中心位置から１メートル離れた位置で９０デシベル以上であること。」という条件を満たすことができるものであるということを知見し、本発明の完成をみるに至ったものである。
【０００７】
而して、本発明の要旨とするところは、前面扉における収容箱本体内に設置された音響装置としてのベルの周縁に位置する部分にのみ放音孔を設けたことを特徴とする防災機器収容箱にある。
【０００８】
また、上記構成において、放音孔を、外側にあるものの開孔面積を最大とし、中心部に向かうにしたがって小さくするようになしてもよい。
【０００９】
また、上記構成において、ベルの設置板にベルを囲み又は挟むようにして音響反射板を設けるようにしてもよい。
【００１０】
また、上記構成において、前面扉の裏面における放音孔の部分に、該放音孔を覆う防水シートを貼着するようにしてもよい。
【００１１】
【発明の実施の形態】
以下、本発明の実施の形態について図面を参照しつつ説明する。
図１は本発明の第１実施形態の正面図、図２は同側面図、図３は開扉状態の正面図、図４は同側面図である。
【００１２】
図中、１は防災機器収容箱であり、収容箱本体２と前面扉３とからなるものである。また、内部には従来のものと同様の機器が設置されている。
【００１３】
４は前記前面扉３に設けられた表示灯、５は放音孔、６は発信機である。また、該放音孔５は収容箱本体２内に設置された後記ベルの周縁に位置する部分にのみ設けられている。尚、本実施形態では、形状として小円孔とし、ベルの左右の縁部に位置する部分に列をつくるように並べて設け、且つ外側から中心に向かうにしたがって、開孔面積を小さくしている。
【００１４】
７は前記収容箱本体２内に設置されたゴング型ベルである。８は該ゴング型ベル７の設置板である。そしてまた、該ベルの設置板８には、本実施形態にあっては、ベル７を囲み又は挟むようにして音響反射板９、９を設けている。該音響反射板９、９はベルの音を共鳴させ、音量を上げるためのものであり、収容箱を屋外に設置するとき前面扉の裏面の放音孔の部分に音量を減衰させてしまう防水シートを貼着する場合や、ベルの電源が停電のときに商用電源から電池容量の小さな非常電源に切り替わっても、長時間駆動できる消費電力の小さなベル（往々にしてこのようなベルは若干音量が小さくなることがある。）を採用した場合に特に効果を発揮するものである。
【００１５】
１０は前記前面扉３の裏面における放音孔５の部分に、該放音孔５を覆うようにして貼着した防水シートである。該防水シート１０は、収容箱を屋外に設置するとき、雨水が放音孔５から内部に浸入することを防ぐためのものである。
【００１６】
而して、本実施形態にあっては、放音孔５を、前面扉３における収容箱本体２内に設置されたベル７の周縁に位置する部分にのみ設けたから言い換えるとベル７の中心部には全く穿孔されていないから、前面扉の放音孔の部分の強度が従来のものの如く落ちることがない。したがって、物が当たる等の衝撃が加わっても容易には破損しないものである。また孔が少ない分、雨水の浸入も少なくすることができるものである。加えて図示した如く放音孔を外側から中心に向かうにしたがって開孔面積を小さくするようにデザインすることもでき、デザイン上の自由度を増すこともできるものである。
【００１７】
次に、図５に示した本発明の第２実施形態について説明する。
本実施形態と前記第１実施形態との相違点は、放音孔の形態にある。即ち、前記第１実施形態の放音孔は前記の通りであるのに対して、本実施形態の放音孔５ａは、形状として途中を所定間隔に切断した真円状とし、最も外側のものがベル７の周縁に位置するようにして、三本の放音孔５ａを同心円的に設けてなるものである。尚、その他の構成は前記第１実施形態と同様であるから、同一の部材には同一の符号を付して詳細な説明は省略する。
【００１８】
次に、図６に示した本発明の第３実施形態について説明する。
本実施形態と前記第１実施形態との相違点は、放音孔の形態にある。即ち、前記第１実施形態の放音孔は前記の通りであるのに対して、本実施形態の放音孔５ｂは、形状として途中を所定間隔に切断した四角形状とし、最も外側のものがベル７の周縁に位置するようにして、三本の放音孔５ｂを内外方向に重ねて設けてなるものである。
【００１９】
次に、図７に示した本発明の第４実施形態について説明する。
本実施形態と前記第１実施形態との相違点は、放音孔の形態にある。即ち、前記第１実施形態の放音孔は前記の通りであるのに対して、本実施形態の放音孔５ｃは、形状として直線状とし、ベル７の左右の縁部に位置する部分に並べて設けてなるものである。
【００２０】
尚、本発明の実施形態は上記各実施形態に限定されるものではない。要は収容箱本体内に設置される音響装置としてのベルの周囲に位置する部分のみに設けられるのであれば、どのような形態の放音孔であってもよい。
【００２１】
【発明の効果】
本発明は上記の如き構成であり、放音孔を、収容箱本体内に設置されたベルの周縁に位置する部分にのみ設けたから、言い換えるとベルの中心部には全く穿設されていないから、前面扉の放音孔の部分の強度が従来のものの如く落ちないものである。したがって、物が当たる等の衝撃が加わっても容易には破損しないものである。また孔が少ない分、雨水の浸入もなくすることができるものである。加えて、放音孔を外側から中心に向かうにしたがって開孔面積を小さくするようにデザインすることもでき、デザイン上の自由度を増すこともできるものである。
【００２２】
また、ベルの設置板に、ベルを囲み又は挟むようにして音響反射板を設けた場合には、ベルの音を共鳴させて音量を上げることができるものである。したがって、収容箱を屋外に設置するとき前面扉の裏面の放音孔の部分に音量を減衰させてしまう防水シートを貼着する場合や、ベルの電源が停電のときに商用電源から電池容量の小さな非常電源に切り替わっても、長時間駆動できる消費電力の小さなベルを採用した場合に特に効果を発揮するものである。
【図面の簡単な説明】
【図１】本発明の第１実施形態の正面図である。
【図２】本発明の第１実施形態の側面図である。
【図３】本発明の第１実施形態の開扉状態の正面図である。
【図４】本発明の第１実施形態の開扉状態の側面図である。
【図５】本発明の第２実施形態の正面図である。
【図６】本発明の第３実施形態の正面図である。
【図７】本発明の第４実施形態の正面図である。
【図８】従来の防災機器収容箱の正面図である。
【符号の説明】
１　防災機器収容箱
２　収容箱本体
３　前面扉
４　表示灯
５、５ａ、５ｂ、５ｃ　放音孔
６　発信機
７　ベル
８　ベルの設置板
９、９　音響反射板
１０　防水シート
【図１】
2004102866.tif 000003
【図２】
2004102866.tif 000004
【図３】
2004102866.tif 000005
【図４】
2004102866.tif 000006
【図５】
2004102866.tif 000007
【図６】
2004102866.tif 000008
【図７】
2004102866.tif 000009
【図８】
2004102866.tif 000010